(57)【要約】【課題】本発明は、アンテナの水平状態を保持できるアンテナ支持部材を提供することを目的とする。【解決手段】本発明のアンテナ支持部材は、台座、台座に立設する支持柱、支持柱にスライド可能に装着される装着機構、装着機構に水平に装着される棒材、それぞれ棒材に装着されるアンテナ本体及びバランス機構を備える。装着機構には、棒材を挿設するための貫通孔が設けられ、貫通孔内には、棒材に当接する第一及び第二センサーが設けられ、棒材には、歯部が設けられ、バランス機構は、第一及び第二センサーに接続されている制御器、モーター、及び歯部に噛み合う歯車を備え、制御器は、第一及び第二センサーが受ける力の状態に基づいて、歯車の回転方向を制御して、バランス機構を、支持柱に近接する方向又は支持柱から離れる方向へ移動させて、第一及び第二センサーが受ける圧力を同じにする。【選択図】図２
2013246167.tif 000002
【特許請求の範囲】
【請求項１】
台座と、前記台座に立設されている支持柱と、前記支持柱にスライド可能に装着されている装着機構と、前記装着機構に水平に装着されている棒材と、前記棒材の一端に装着されているアンテナ本体と、前記棒材の他端に装着されているバランス機構と、を備え、
前記装着機構には、前記棒材を挿設するための貫通孔が設けられ、前記貫通孔内には、前記棒材に当接する第一センサー及び第二センサーが設けられ、前記棒材の他端には、歯部が設けられ、
前記バランス機構は、前記第一センサー及び前記第二センサーに接続されている制御器と、モーターと、前記モーターによって駆動され、且つ前記歯部に噛み合わさる歯車と、を備え、前記制御器は、前記第一センサー及び前記第二センサーが受ける力の状態に基づいて、前記歯車の回転方向を制御して、前記バランス機構を、前記支持柱に近接する方向又は前記支持柱から離れる方向へ移動させて、前記第一センサーが受ける圧力と前記第二センサーが受ける圧力とを同じにすることを特徴とするアンテナ支持部材。
【請求項２】
前記第一センサーが受ける圧力が、前記第二センサーが受ける圧力より小さい場合、前記制御器は、前記バランス機構が前記支持柱に近接する方向へ移動するように前記歯車の回転を制御して、前記第一センサーが受ける圧力と前記第二センサーが受ける圧力とを同じにすることを特徴とする請求項１に記載のアンテナ支持部材。
【請求項３】
前記第一センサーが受ける圧力が、前記第二センサーが受ける圧力より大きい場合、前記制御器は、前記バランス機構が前記支持柱から離れる方向へ移動するように前記歯車の回転を制御して、前記第一センサーが受ける圧力と前記第二センサーが受ける圧力とを同じにすることを特徴とする請求項１又は２に記載のアンテナ支持部材。
【請求項４】
前記装着機構は、前記支持柱にスライド可能に装着され、且つ少なくとも１つの位置決め部材を備え、前記貫通孔は、前記位置決め部材を水平に貫通し、前記位置決め部材の底部には、前記貫通孔と連通する２つの収容孔が位置決め部材の底部に対して垂直に設けられ、前記第一センサー及び前記第二センサーは、それぞれ前記２つの収容孔に収容されていることを特徴とする請求項１から３のいずれか一項に記載のアンテナ支持部材。
【請求項５】
前記支持柱の上端部には、前記支持柱の長手方向に沿って通溝が設けられ、前記通溝内には、滑車が設けられ、前記滑車と前記装着機構とは、前記通溝を通過して前記滑車を跨る運送ベルトによって連結され、前記運送ベルトは、前記装着機構及び前記棒材を連動して前記支持柱に沿って移動させることを特徴とする請求項１から４のいずれか一項に記載のアンテナ支持部材。
【請求項６】
前記装着機構は、それぞれ前記支持柱の４つの角部に位置する４つのアングル材を備え、互いに隣接する２つのアングル材の頂部との間及び底部との間には、それぞれ連結部材が設けられ、各連結部材には、前記支持柱に沿って回転する２つのローラが設けられていることを特徴とする請求項１から５のいずれか一項に記載のアンテナ支持部材。
【請求項７】
前記バランス機構は、長方体形のハウジングをさらに備え、前記モーター及び前記制御器は、前記ハウジングの内部に装着され、前記ハウジングの対向する２つの側板には、前記棒材が挿入されるためのガイド孔がそれぞれ設けられていることを特徴とする請求項１から６のいずれか一項に記載のアンテナ支持部材。
【請求項８】
前記棒材の歯部の両端には、位置決めセンサーがそれぞれ設けられ、前記バランス機構は、前記棒材に沿って前記２つの位置決めセンサーの間で移動することを特徴とする請求項１から７のいずれか一項に記載のアンテナ支持部材。
【発明の詳細な説明】
【技術分野】
【０００１】
本発明は、アンテナ支持部材に関するものである。
【背景技術】
【０００２】
電子製品の電磁波障害（ＥＭＩ）のテストを行なう際には、アンテナを支持部材に設置してＥＭＩテストを行なう。従来のアンテナは、支持部材に水平に装着されている棒材及び棒材の一端に固定されているアンテナ本体を備える。しかし、アンテナ本体は比較的重いので、アンテナ本体側が下方に傾いて、アンテナを水平状態に保持することができない場合があり、テストの精確性が低くなるという問題がある。
【発明の概要】
【発明が解決しようとする課題】
【０００３】
以上の問題点に鑑みて、本発明は、アンテナの水平状態を保持できるアンテナ支持部材を提供することを目的とする。
【課題を解決するための手段】
【０００４】
上記の課題を解決するために、本発明のアンテナ支持部材は、台座と、前記台座に立設されている支持柱と、前記支持柱にスライド可能に装着されている装着機構と、前記装着機構に水平に装着されている棒材と、前記棒材の一端に装着されているアンテナ本体と、前記棒材の他端に装着されているバランス機構と、を備える。前記装着機構には、前記棒材を挿設するための貫通孔が設けられ、前記貫通孔内には、前記棒材に当接する第一センサー及び第二センサーが設けられ、前記棒材の他端には、歯部が設けられ、前記バランス機構は、前記第一センサー及び前記第二センサーに接続されている制御器と、モーターと、前記モーターによって駆動され、且つ前記歯部に噛み合う歯車と、を備え、前記制御器は、前記第一センサー及び前記第二センサーが受ける力の状態に基づいて、前記歯車の回転方向を制御して、前記バランス機構を、前記支持柱に近接する方向又は前記支持柱から離れる方向へ移動させて、前記第一センサーが受ける圧力と前記第二センサーが受ける圧力とを同じにする。
【発明の効果】
【０００５】
本発明に係るアンテナ支持部材において、第一センサー及び第二センサーが受ける力の状態に基づいて、制御器がモーターの歯車の回転方向を制御して、バランス機構を支持柱に近接する方向又は支持柱から離れる方向へ移動させて、アンテナ本体の水平状態を保持する。これにより、テスト結果の精確度を確保することができる。
【図面の簡単な説明】
【０００６】
【図１】本発明に係るアンテナ支持部材の分解図である。
【図２】図１に示したＩＩ部分の拡大図である。
【図３】図１に示したアンテナ支持部材の組立図である。
【図４】図３に示したＩＶ部分の拡大図である。
【図５】本発明に係るアンテナ支持部材の使用状態を示す図である。
【発明を実施するための形態】
【０００７】
以下、図面に基づいて、本発明に係るアンテナ支持部材について詳細に説明する。
【０００８】
図１から図４を参照すると、本発明に係るアンテナ支持部材１００は、台座１０と、支持脚２０と、矩形の支持柱３０と、装着機構４０と、棒材５０と、該棒材５０の一端に装着されているアンテナ本体６０と、バランス機構７０と、を備える。装着機構４０は、支持柱３０に上下スライド可能に装着されている。棒材５０は、水平（つまり、棒材５０の長手方向が支持柱３０の長手方向に対して垂直）に装着機構４０に装着されている。アンテナ本体６０、バランス機構７０及び棒材５０は、装着機構４０のスライドによって、支持柱３０に対して上下に移動する。
【０００９】
台座１０は、矩形のボックス構造であり、且つ頂板１０１及び底板１０３を備える。支持柱３０の下端部３０２は、台座１０の頂板１０１の中央部に垂直に固定されている。即ち、支持柱３０は、台座１０の頂板１０１の中央部に立設されている。頂板１０１の支持柱３０の下端部３０２に近接する両側には、貫通孔１０７が設けられている。また、台座１０の内部には、駆動モーター（図示せず）が設置されている。
【００１０】
支持柱３０の上端部３０４には、支持柱３０の長手方向（垂直方向）に沿って通溝３０５が設けられ、通溝３０５内には、滑車３０６が設けられている。支持柱３０には、台座１０に対して垂直方向に運送ベルト３２が設けられ、該運送ベルト３２は、滑車３０６を跨ぐように通溝３０５と貫通孔１０７とを通過して、駆動モーターと接続される。駆動モーターが運送ベルト３２を駆動すると、運送ベルト３２は、台座１０に対して垂直方向に沿って回転する。
【００１１】
支持脚２０は、十字の形状を呈し、台座１０の底板１０３に装着されている。支持脚２０の４つの端部には、それぞれキャスター２１が設けられている。このキャスター２１によって、アンテナ支持柱材１００を移動させることができる。
【００１２】
装着機構４０は、それぞれ支持柱３０の４つの角部に位置する４つのアングル材４２を備える。互いに隣接する２つのアングル材４２の間には、矩形の位置決め部材４８が固定されている。互いに隣接する２つのアングル材４２の頂部の間及び底部の間には、連結部材４４がそれぞれ設けられている。各連結部材４４には、支持柱３０に沿って回転する２つのローラ４６が設けられている。このローラ４６は、装着機構４０の支持柱３０に対するスライドをスムーズにする。４つの中の１つの位置決め部材４８には、その位置決め部材４８を水平に貫通する貫通孔４８４が設けられ、該位置決め部材４８の底部には、該貫通孔４８４と連通する２つの収容孔４８５が位置決め部材４８の底部に対して垂直に設けられている。前記２つの収容孔４８５には、第一センサー４８６及び第二センサー４８７がそれぞれ収容されている。該位置決め部材４８に隣接する他の位置決め部材４８は、運送ベルト３２に固定されて、該運送ベルト３２の連動によって、装着機構４０が支持柱３０に沿って上下方向にスライドされる。
【００１３】
棒材５０は、位置決め部材４８の貫通孔４８４内に挿設されると共に、第一センサー４８６及び第二センサー４８７に当接される。棒材５０のアンテナ本体６０から離れている一端部には、該棒材５０の長手方向に沿って歯部５２が設けられている。該歯部５２の両端には、位置決めセンサー５４がそれぞれ設けられている。
【００１４】
バランス機構７０は、長方体形のハウジング７２と、ハウジング７２の内部に装着されているモーター７４と、ハウジング７２の内部に装着され、且つケーブル７３を介して第一センサー４８６及び第二センサー４８７にそれぞれ接続されている制御器７６と、を備える。ハウジング７２の対向する２つの側板には、棒材５０が挿入されるためのガイド孔７２２がそれぞれ設けられている。制御器７６は、第一センサー４８６及び第二センサー４８７が受ける力の状態に基づいて電気信号を生成して、モーター７４の回転方向を制御する。モーター７４には、棒材５０の歯部５２と噛み合う歯車７４２が装着されている。歯部５２と歯車７４２との作用によって、バランス機構７０は、棒材５０に沿って２つの位置決めセンサー５４の間で移動する。
【００１５】
図５を併せて参照すると、アンテナ支持部材１００を使用する際、第一センサー４８６が受ける圧力が、第二センサー４８７が受ける圧力より小さい場合、制御器７６は、バランス機構７０が支持柱３０に近接する方向へ移動するようにモーター７４を制御して、第一センサー４８６が受ける圧力と第二センサー４８７が受ける圧力とを同じにする。この時、モーター７４は回転を停止し、アンテナ本体６０は水平状態になる。また、第一センサー４８６が受ける圧力が、第二センサー４８７が受ける圧力より大きい場合、制御器７６は、バランス機構７０が支持柱３０から離れる方向へ移動するようにモーター７４を制御して、第一センサー４８６が受ける圧力と第二センサー４８７が受ける圧力とを同じにする。この時、モーター７４は回転を停止し、アンテナ本体６０は水平状態になる。
【００１６】
アンテナ本体６０を取り外した際、第二センサー４８７が受ける圧力は、第一センサー４８６が受ける圧力より大きいので、制御器７６は、バランス機構７０が支持柱３０に当接するように該バランス機構７０を移動させて、アンテナ支持部材１００が倒れることを防止する。
【００１７】
本発明に係るアンテナ支持部材１００において、制御器７６は、第一センサー４８６及び第二センサー４８７が受ける力の状態に基づいて、モーター７４の歯車７４２の回転方向を制御して、バランス機構７０を、支持柱３０に近接する方向又は支持柱３０から離れる方向へ移動させて、アンテナ本体６０の水平状態を保持する。これにより、テスト結果の精確度を確保することができる。
【００１８】
以上、本発明の好適な実施形態について詳細に説明したが、本発明は前記実施形態に限定されるものではなく、本発明の範囲内で種々の変形又は修正が可能であり、該変形又は修正もまた本発明の特許請求の範囲内に含まれるものであることは、言うまでもない。
【符号の説明】
【００１９】
１００    アンテナ支持部材
１０    台座
１０１    頂板
１０３    底板
１０７    貫通孔
２０    支持脚
２１    キャスター
３０    支持柱
３０２    下端部
３０４    上端部
３０５    通溝
３０６    滑車
３２    運送ベルト
４０    装着機構
４２    アングル材
４４    連結部材
４６    ローラ
４８    位置決め部材
４８４    貫通孔
４８５    収容孔
４８６    第一センサー
４８７    第二センサー
５０    棒材
５２    歯部
５４    位置決めセンサー
６０    アンテナ本体
７０    バランス機構
７２    ハウジング
７２２    ガイド孔
７３    ケーブル
７４    モーター
７４２    歯車
７６    制御器
【図１】
2013246167.tif 000003
【図２】
2013246167.tif 000004
【図３】
2013246167.tif 000005
【図４】
2013246167.tif 000006
【図５】
2013246167.tif 000007